(57)【要約】【課題】複数の室外機を連続設置するときや左側面側に壁などの障害物がある場合に、決められた寸法の隙間確保を容易に行える室外機を提供する。【解決手段】内部に圧縮機１０と、室外ファン４と、後面から左側面にかけて略Ｌ字形状の熱交換器１１とを配置し、底板２と、天板３と、室外ファン４の吹出グリル５を有した前板６と、左側面に熱交換器６で熱交換させるための外気吸込み口７ａを有した左側板７と、圧縮機１０を覆う右側板８とから構成され、前板６の左端部分６ａを左側板７より突出するように天板３面から底板２面までフランジ１２を設けることにより、室外機１を連続設置した場合や左側面側を壁などの障害物から外気吸込み口７ａを封止することなく適正な吸込み寸法が確保でき、また室外ファン４より吹出した風によるショートサーキット防止しするとともに、前面からの美観も向上できる。【選択図】図３
2007232276.tif 000002
【特許請求の範囲】
【請求項１】
内部に圧縮機と、室外ファンと、後面から左側面にかけて略Ｌ字形状の熱交換器とを配置し、底板と、天板と、前記室外ファンの吹出グリルを有した前板と、左側面に前記熱交換器で熱交換させるための外気吸込み口を有した左側板と、前記圧縮機を覆う右側板とから構成され、前記左側板より左側に突出する突起部を設けたことを特徴とする空気調和機の室外機。
【請求項２】
前板の左端部分を左側板より左側に突出するように天板面から底板面までフランジを設けたことを特徴とする請求項１に記載の空気調和機の室外機。
【請求項３】
左側板の後側に突起を設けたことを特徴とする請求項２に記載の空気調和機の室外機。
【請求項４】
左側板の外気吸込み口に切起しを設けたことを特徴とする請求項１又は２に記載の空気調和機の室外機。
【請求項５】
天板を左側板より左側に突出させたことを特徴とする請求項１〜４のうちいずれか一項に記載の空気調和機の室外機。
【発明の詳細な説明】
【技術分野】
【０００１】
本発明は空気調和機の室外機に関するものである。
【背景技術】
【０００２】
従来、一般的に空気調和機の前板と左側面との箱体構成仕様は前板左端部及び天板と同一平面になるように構成されるのが一般的である（例えば、特許文献１参照）。
【０００３】
図７は、特許文献１に記載された従来の空気調和機の室外機の斜視図を示すものである。また図８は、従来の空気調和機の室外機の連続設置状態における平面断面図である。図７、８に示すように、複数個の脚１を有する底板２と、天板３と、室外ファン４の吹出グリル５を有した前板６と、外気を取り入れて熱交換器７で熱交換させるための外気吸込み口８を有した左側板９と右側板１０から構成された箱体内部に、室外ファン４や熱交換器７や圧縮機１１などが配設された空気調和機の室外機１２において、前板６の左端部６ａと左側板９とは同一平面上になるような箱体構成となっている。
【特許文献１】特開２００４−２５１５８７号公報
【発明の開示】
【発明が解決しようとする課題】
【０００４】
しかしながら、前記従来の構成では、室外機を複数台連続設置された場合や、左側面に壁などの障害がある場合に、間隔を設ける寸法規制を行うことができず、場合によっては障害物により左側板に設けられた吸込み口が封止され、吸込み口から十分な外気を取り入れることができず熱交換器の能力が低下する。また、空気調和機の吹出し部の前部に障害物がある場合、室外機内部の室外ファンより吹出した風が前面の障害物に当り、左側面に設けた隙間より吹出した風が吸込まれるショートサーキット現象が生じたり、また連続設置時左側面より十分な吸込みスペースを確保させるため室外機間に隙間を設けるため室外機前面から見たときの美観が損なわれたりするという課題を有していた。
【０００５】
本発明は、前記従来の課題を解決するもので、前板の左端前面側の一部分を前記左側板平面部より突出しするように天板面から底板面まで垂直にフランジを設けることにより、室外機本体を連続設置した場合や左側面側を壁などの障害物から適正な吸込みスペースが規制でき、左側板に設けられた吸込み口が封止されることもなく、さらに空気調和機全面の吹出し部に障害物があり十分な吹出しスペースが確保できない場合、室外機内部の室外ファンより吹出した風も前記前板に設けられた突起により左側面からの風の吸込みもなくショートサーキットも防止することができる。また連続設置時前面から見た場合、室外機間に隙間がなくなるため美観の向上もはかれることのできる空気調和機の室外機を提供することを目的とする。
【課題を解決するための手段】
【０００６】
前記従来の課題を解決するために、本発明の空気調和機の室外機は、内部に圧縮機と、室外ファンと、左側面から後面にかけて略Ｌ字形状の熱交換器とを配置し、底板と、天板と、前記室外ファンの吹出グリルを有した前板と、左側面に前記熱交換器で熱交換させるための外気吸込み口を有した左側板と、前記圧縮機を覆う右側板とから構成され、前記左側板より左側に突出する突起部を設けたもので、特に前板の左端部分を左側板より突出するように天板面から底板面まで垂直にフランジを設けることにより、室外機本体を連続設置した場合や左側面側を壁などの障害物から適正な吸込みスペースが規制でき、左側板に設けられた吸込み口が封止されることもない。さらに、空気調和機の吹出し部の前面に障害物がある場合、室外機内部の室外ファンより吹出した風も前記前板に設けられたフラン
ジにより左側面からの風の吸込みもなくショートサーキットも防止することができる。また、連続設置状態を前面から見た場合、室外機同士の間に隙間がなくなるため美観の向上も図ることができる。
【発明の効果】
【０００７】
本発明の空気調和機の室外機は、室外機本体を連続設置した場合や、壁などの障害物から左側板の外気吸込み口を封止することなく適正な間隔寸法が確保でき、室外ファンより吹出した風がショートサーキットしてしまうことを防止することができる。
【発明を実施するための最良の形態】
【０００８】
第１の発明は、内部に圧縮機と、室外ファンと、左側面から後面にかけて略Ｌ字形状の熱交換器を配置し、底板と、天板と、前記室外ファンの吹出グリルを有した前板と、左側面に前記熱交換器で熱交換させるための外気吸込み口を有した左側板と、前記圧縮機を覆う右側板とから構成され、前記左側板より左側に突出する突起部を設けたもので、室外機本体を連続設置した場合や左側面側を壁などの障害物から適正な吸込みスペースが確保できる。
【０００９】
第２の発明は、特に、第１の発明の空気調和機の室外機において、前板の左端部分を左側板より左側に突出するように天板面から底板面までフランジを設けたもので、左側板に設けられた吸込み口が封止されることがなく、さらに室外機の吹出し部の前方に障害物がある場合、室外ファンより吹出した風が障害物に当たって室外機側に戻ってきたとしても、前板に設けられたフランジにより左側面からの風の吸込みを防いで、ショートサーキットとなることを防止することができる。また、連続設置の状態で前面から見た場合、室外機同士の間に隙間がなくなるため美観の向上を図ることができる。
【００１０】
第３の発明は、特に、第２の発明の空気調和機の室外機において、さらに左側板の後側に突起を設けたことにより、左端の前側に左側板より突出して設けた突起と合わせて、左側板の前側と後側の２箇所で室外機同士の間の隙間を確保することができ、より確実また容易に設置が可能となる。
【００１１】
第４の発明は、特に、第１又は２の発明の空気調和機の室外機において、左側面より外気を取り入れ、熱交換器で熱交換させるための外気吸込み口を有した左側板において外気吸込み口部に切起しを設けたもので、室外機間の隙間を確保することができ、より確実また容易に設置が可能であるとともに、切起しも外気吸込み口の形成と同時に容易に形成することができ、さらに左側面の吸込み口部の強度を向上することができる。
【００１２】
第５の発明は、第１〜４の発明の空気調和機の室外機において、天板を左側板より左側に突出させたもので、奥行き方向に形成されるため、連続設置において室外機同士の間の隙間を前後で確保することができ、より確実に設置が可能となる。また、突出部分を取っ手として活用できる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室外機の斜視図示すものである。また、図２は本室外機の連続設置状態における平面の断面図を示すものである。
【００１５】
図１と図２において、空気調和機の室外機１は、複数個の脚２ａを有した底板２と天板３との間に、内部に設けられた室外ファン４の吹出グリル５を有した前板６と、左側板７
と、右側板８と、後板９とを設けて箱体を構成している。室外機１の内部には、圧縮機１０と、熱交換器１１と、熱交換器１１に外気を導入するための室外ファン４とを備えており、熱交換器１１は後面１１ａから左側面１１ｂにかけた略Ｌ字形状として配設され、圧縮機１０は右側板８側に配設されている。右側板８は、熱交換器１１で熱交換させるための外気を導入する外気吸込み口７ａを形成している。そして、前板６の左端部分６ａには、左側板７より左側に突出するように天板３面から底板２面までフランジ１２を設けている。
【００１６】
以上のように構成された室外機について、以下その動作、作用を説明する。前板６の左端部分６ａを左側板７より突出するように天板３面から底板２面までフランジ１２を設ける構成により、室外機１を連続設置した場合や左側に壁などの障害物がある場合、適正な吸込みスペースが確保でき、左側板７に設けられた外気吸込み口７ａが封止されることがない。また、室外機１の吹出し部の前方に障害物があり十分な吹出しスペースが確保できない場合、室外ファン４より吹出した風が障害物に当たって室外機側に戻ってきたとしても、前板６に設けられたフランジ１２により左側面９からの風の吸込みを防いで、ショートサーキットとなることを防止することができる。さらに、連続設置の状態で前面から見た場合、室外機１同士の間に隙間がなくなるため美観の向上を図ことができる。
【００１７】
（実施の形態２）
図３は、本発明の第２の実施の形態における空気調和機の室外機の斜視図である。図４は、本室外機の連続設置状態における平面断面図である。
【００１８】
図３、図４において、前板６の左端部分６ａを左側板７より突出するように天板３面から底板２面まで垂直にフランジ１２を設け、さらに左側板７後側に複数個の突起１３を設けることにより、連続設置において前側と後側の２箇所で室外機１同士の間の隙間を確保することができ、より確実に設置が可能となる。
【００１９】
また、ここでは天板３も同様に左側板７より突出させている。天板３の場合は、奥行き方向に形成されるため、連続設置において室外機同士の間の隙間を前後で確保することができ、より確実に設置が可能となり、左側板７の後側に突起１３を形成しなくても同様の効果が得られる。さらに、天板３の突出部分を取っ手として構成すれば、運搬時の取っ手として活用でき有用である。
【００２０】
（実施の形態３）
図５は、本発明の第３の実施の形態における空気調和機の室外機の斜視図である。図６は、本室外機の連続設置状態における平面断面図である。
【００２１】
図５、図６において、左側面より外気を取り入れて熱交換器１１で熱交換させるための外気吸込み口７ａを有した左側板７に複数個の切起し１６を、前部と後部にそれぞれ設けている。これにより、前面方向と後面方向の２箇所で室外機１同士の間の隙間を確保することができ、より確実また容易に設置が可能でさらに左側板７の外気吸込み口８部の強度を向上することができる。
【００２２】
また、切起し１４は、外気吸込み口７ａを形成するときに同時に形成すれば、工数が増えることもなく安価に形成できる。
【産業上の利用可能性】
【００２３】
以上のように、本発明にかかる空気調和機用室外機は、室外機本体を連続設置した場合や左側面側を壁などの障害物から左側板の吸込み口を封止することなく適正な寸法が規制でき、室外ファンより吹出した風がショートサーキット防止することができることが可能
となるので、上吹きタイプの空気調和機の室外機等にも適用できる。
【図面の簡単な説明】
【００２４】
【図１】本発明の実施の形態１における空気調和機の室外機の斜視図
【図２】本発明の実施の形態１における室外機本体連続設置状態の平面断面図
【図３】本発明の実施の形態２における空気調和機の室外機の斜視図
【図４】本発明の実施の形態２における空気調和機の室外機の斜視図
【図５】本発明の実施の形態３における室外機本体連続設置状態の平面断面図
【図６】本発明の実施の形態３における空気調和機の室外機の斜視図
【図７】従来の空気調和機の室外機の斜視図
【図８】従来の空気調和機の室外機における室外機本体連続設置状態の平面断面図
【符号の説明】
【００２５】
１  室外機
２  底板
３  天板
４  室外ファン
５  吹出グリル
６  前板
６ａ  左端部分
７  左側板
７ａ  外気吸込み口
８  右側板
１０  圧縮機
１１  熱交換器
１１ａ  後面
１１ｂ  左側面
１２  フランジ
１３  突起
１４  切起し
【図１】
2007232276.tif 000003
【図２】
2007232276.tif 000004
【図３】
2007232276.tif 000005
【図４】
2007232276.tif 000006
【図５】
2007232276.tif 000007
【図６】
2007232276.tif 000008
【図７】
2007232276.tif 000009
【図８】
2007232276.tif 000010